(57)【要約】【課題】伸縮可撓継手側と配管側に特別な加工を必要とせずに簡単な作業で短時間に設置できる伸縮可撓継手を提供する。【解決手段】複数の軸線方向に延びるスリット６を両端部に有し、両端部に接続すべき配管２，２の端部が挿入されるスリーブ３と、スリーブ３の両端部内面に配置されたゴムリング４と、スリーブの両端部外面に配置された絞りバンド５とを有し、スリーブ３の両端部を縮径することでゴムリング４を半径方向内方に押圧し、スリーブ３と配管２との間を液密シールする。【選択図】図１
2008180323.tif 000002
【特許請求の範囲】
【請求項１】
複数の軸線方向に延びるスリットを両端部に有し、両端部に接続すべき配管の端部が挿入されるスリーブと、スリーブの両端部内面に配置されたゴムリングと、スリーブの両端部外面に配置された絞りバンドとを有し、絞りバンドによりスリーブの両端部を縮径し、ゴムリングを半径方向内方に押圧することによりスリーブと配管との間を液密シールすることを特徴とする伸縮可撓継手。
【請求項２】
スリットは、スリーブの両端部に周方向に等間隔に配置されていることを特徴とする請求項１に記載の伸縮可撓継手。
【請求項３】
スリーブの両端部外面に環状溝を設け、各環状溝に絞りバンドを配置したことを特徴とする請求項１または２に記載の伸縮可撓継手。
【請求項４】
スリーブは、ポリエチレン樹脂材料の成型品であることを特徴とする請求項１ないし３のいずれか１項に記載の伸縮可撓継手。
【請求項５】
絞りバンドは、複数の絞りバンド片を締め付けボルトで互いに連結することで形成されることを特徴とする請求項１ないし４のいずれか１項に記載の伸縮可撓継手。
【請求項６】
スリーブの一端に係止部を突設し、係止部に近い側の配管にセンタリングバンドを設け、係止部とセンタリングバンドをワイヤで連結したことを特徴とする請求項１ないし５のいずれか１項に記載の伸縮可撓継手。
【発明の詳細な説明】
【技術分野】
【０００１】
本発明は、配管同士を橋絡するためにスリーブに配管の端部を挿入した時、伸縮可撓継手側と配管側に特別な加工を必要とすることなく、スリーブと配管を連結することができる伸縮可撓継手に関する。
【背景技術】
【０００２】
従来の伸縮可撓継手として、配管同士を橋絡するために配管の端部が挿入されるスリーブと、スリーブの両端部内面に配置されたゴムリングとを有する形式の伸縮可撓継手が知られている。
【０００３】
上記伸縮可撓継手は、スリーブの両端部内面に配置されたゴムリングを半径方向に圧縮した状態で配管の端部をスリーブに挿入し、スリーブと配管とをフランジ接合、溶接接合またはメカニカル継ぎ手接合等の接合手段により連結している。
【発明の開示】
【発明が解決しようとする課題】
【０００４】
上記伸縮可撓継手は、上記いずれの接合手段を採用しても、スリーブに配管の端部を挿入する前に、伸縮可撓継手側と配管側にそれぞれ加工を施すことが必要であり、しかも、配管の端部をスリーブに挿入するために、ゴムリングを半径方向に圧縮して配管の端部を圧入する専用の装置が必要であり、設置に相当な時間と労力を要するという問題がある。
【０００５】
本発明の目的は、配管同士を橋絡するためにスリーブに配管の端部を挿入した時、従来の装置のように伸縮可撓継手側と配管側に特別な加工を必要とすることなく、絞りバンドによりスリーブの両端部を縮径するという簡単な作業により設置することができる伸縮可撓継手を提供することにある。
【課題を解決するための手段】
【０００６】
本発明の伸縮可撓継手は、複数の軸線方向に延びるスリットを両端部に有し、両端部に接続すべき配管の端部配管同士を橋絡するために配管の端部が挿入されるスリーブと、スリーブの両端部内面に配置されたゴムリングと、スリーブの両端部外面に配置された絞りバンドとから構成され、絞りバンドによりスリーブの両端部を縮径し、ゴムリングを半径方向内方に押圧するでスリーブと配管との間を液密シールする。
【発明の効果】
【０００７】
本発明による伸縮可撓継手は、絞りバンドのボルト締めによりスリーブの両端部を縮径するという簡単な作業で配管に設置することができ、また、スリーブの両端部を縮径して、スリーブの内面に配置されたゴムリングを半径方向内方に押圧することで、スリーブと配管との間を液密シールすることができる。
【発明を実施するための最良の形態】
【０００８】
以下、本発明による伸縮可撓継手の一実施形態について、添付の図面を参照しながら説明する。  
図１におていて、符号１は本発明による伸縮可撓継手を示し、この伸縮可撓継手１は、配管２，２同士を橋絡するために、接続すべき配管２，２の端部が挿入されるスリーブ３と、スリーブ３の両端部内面に配置され、スリーブ３と配管２との間を液密シールするゴムリング４（図４）と、スリーブ３の両端部外面に配置され、スリーブ３の両端部を縮径する絞りバンド５とから構成されている。
【０００９】
上記スリーブ３は、ポリエチレン樹脂材料のような軟質材料により成形されている。スリーブ３は、両端部に周方向に等間隔を置いて軸線方向に延びる多数のスリット６と、両端部外面に絞りバンド５を受けるための環状溝７，７と、両端部内面にゴムリング４を受けるための環状溝８，８とを有する。スリーブ３に設けたスリット６の溝幅および数は、スリーブ３の両端部がゴムリング４を配管２の外面に圧接できる程度の縮径になるように設定される。
【００１０】
上記ゴムリング４は、図４に示すように、オーチマチックシール機構を備えた構造である。ゴムリング４は、環状スクレーバ９とロックリング１０と拡張リング１１によりスリーブ３の内面に設けた環状溝８に固定される。
【００１１】
上記絞りバンド５は、図１および図２に示すように、４つの絞りバンド片５ａ，５ａ，５ａ，５ａと、隣り合う絞りバンド片５ａ，５ａを連結する締め付けボルト１４から構成されている。各絞りバンド片５ａは、両端部を上方に折り返し、折り曲げ部５ｂに開口を設けた細長い金属片から形成される。締め付けボルト１４は、絞りバンド片５ａの折り曲げ部５ｂに装着されるロール部１２，１２と、絞りバンド片５ａの折り曲げ部５ｂに設けた開口を通して延びるねじ軸１３とを有する。
【００１２】
上記絞りバンド５は、４つの絞りバンド片５ａ，５ａ，５ａ，５ａを締め付けボルト１４によりゆるく連結した状態でスリーブ３の外面に設けた環状溝７に配置される。絞りバンド５は、隣り合う絞りバンド片５ａ，５ａを連結する締め付けボルト１４を締め付ける方向に回すことでスリーブ３の両端部を縮径する。これにより、スリーブ３の両端部内面に設けたゴムリング４は、配管２の外面に圧接され、スリーブ３と配管２との間を液密シールする。
【００１３】
また、スリーブ３の一端側には係止部１５が突設され、係止部１５に近い側の配管２にセンタリングバンド１６が設けられている。スリーブ３に設けた係止部１５は、係止部１５に近い側の配管２に設けたセンタリングバンド１６にワイヤ１７により連結されている。
【００１４】
つぎに、本発明による伸縮可撓継手の作用について説明する。  
伸縮可撓継手１は、スリーブ３の内面に設けた環状溝８にゴムリング４を装着し、スリーブ３の外面に設けた環状溝７に絞りバンド５を配置した状態に製品生産工場で組み立てられ、作業現場に搬送される。伸縮可撓継手１のスリーブ３の外面に設けた環状溝７に配置される絞りバンド５は、４つの絞りバンド片５ａ，５ａ，５ａ，５ａを締め付けボルト１４によりゆるく連結した状態にある。
【００１５】
伸縮可撓継手１は、配管２，２同士を橋絡するために、スリーブ３の両端部に接続すべき配管２，２の端部が挿入される。この段階では、スリーブ３は、図２および図４に示すように、スリーブ３の両端部に設けた各スリット６が開いた位置にあり、スリーブ３の内面に設けた環状溝８に配置されたゴムリング４は挿入される配管２の外面に接しない位置にある。
【００１６】
つぎに、スリーブ３の外面に設けた環状溝７に配置された絞りバンド５は、隣り合う絞りバンド片５ａ，５ａを連結する締め付けボルト１４を締める方向に回わすことによりスリーブ３の両端部を締め付ける。絞りバンド５がスリーブ３の両端部を締め付けることで、スリーブ３の両端部に設けた多数のスリット６が閉じるように位置され、スリーブ３の両端部は、スリット６の溝幅の合計量に相当する量だけ縮径する。これにより、スリーブ３は、接続すべき配管２，２に固定される。
【００１７】
このように、スリーブ３の両端部が縮径することで、スリーブ３の内面に設けた環状溝８に配置されたゴムリング４にシール力が加えられる。これにより、ゴムリング４は、図３および図５に示すように、半径方向内方に押圧されて挿入された配管２の外面に圧接され、スリーブ３と挿入された配管２との間を液密シールする。
【００１８】
しかして、本発明の伸縮可撓継手１は、スリーブ３の外面に設けた絞りバンドをボルト締めするという簡単な作業で配管に連結することができ、従来の装置のように、伸縮可撓継手側と配管側に特別な加工を必要としない。
【００１９】
なお、本発明の伸縮可撓継手１は、スリーブ３の両端部内面にゴムリング４，４を配置し、ゴムリング４，４を配管２，２の外面を摺動することで配管に発生する伸縮を吸収する機構であるが、スリーブに挿入される配管２，２の摺動量は必ずしも均等ではなく、摩擦力の弱い側の配管２のみが摺動するので、実際の摺動量は、一方の配管２の挿入量に依存することになる。
【００２０】
挿入される配管２に大きい伸縮量を求める場合には、配管２のスリーブ３への挿入量を均等にするのではなく、一方の配管２をスリーブ３に深く挿入し、他方の配管２をスリーブ３に浅く挿入し、少ない挿入側の配管２にセンタリングバンド１６を取り付け、スリーブ３のセンタリングバンド１６を設けた側の配管２に近い端部に係止部１５を突設し、スリーブ３に設けた係止部１５と少ない挿入側の配管２に設けたセンタリングバンド１６をワイヤ１７により連結する。このように、スリーブ３に挿入される配管２，２の摺動量を制御することで、深い挿入側の配管のみを伸縮作動の対象とし、配管２，２に発生する大きな伸縮を吸収することができる。
【図面の簡単な説明】
【００２１】
【図１】本発明による伸縮可撓継手の正面図である。
【図２】本発明による伸縮可撓継手の配管挿入時を示す側面図である。
【図３】本発明による伸縮可撓継手の配管設置時を示す側面図である。
【図４】本発明による伸縮可撓継手の絞りバンドを削除した配管挿入時を示す断面図である。
【図５】本発明による伸縮可撓継手の配管設置時を示す断面図である。
【符号の説明】
【００２２】
１  伸縮可撓継手
２  配管
３  スリーブ
４  ゴムリング
５  絞りバンド
６  スリット
【図１】
2008180323.tif 000003
【図２】
2008180323.tif 000004
【図３】
2008180323.tif 000005
【図４】
2008180323.tif 000006
【図５】
2008180323.tif 000007